(57)【要約】【課題】複合画像で構成される下絵の上で、フィルムゲージをスライド移動させることで、絵が動いているかの如き視覚的効果を与える装飾要素を備えた包装用箱を用いて、販促効果を高める。【解決手段】  複合画像で構成される下絵２６に対して、対応するフィルムゲージ７０を相対的にスライド移動させることで、動画を生じさせる装飾要素を備える包装用箱。包装用箱は、内容物を収容する収容本体１０と、当該収容本体を相対スライド可能に内側に保持する外装体６０とを備える。下絵２６が収容本体の壁面１１に表示され、これと対向する外装体の壁面６１にフィルムゲージ７０が保持されている。収容本体１０と外装体６０が相対スライドしたときに、内容物と関連した動画を生じさせる。【選択図】図５
2010013121.tif 000002
【特許請求の範囲】
【請求項１】
複合画像で構成される下絵（２６）に対して、対応するフィルムゲージ（７０）を相対的にスライド移動させることで、動画を生じさせる装飾要素を備える包装用箱であって、
当該包装用箱は、内容物を収容する収容本体（１０、３０）と、当該収容本体を相対スライド可能に内側に保持する外装体（６０）とを備え、
上記下絵（２６）が収容本体の壁面（１１、３１）に表示され、これと対向する外装体の壁面（６１）に形成した開口部にフィルムゲージ（７０）が保持されていて、
収容本体（１０、３０）と外装体（６０）が相対スライドしたときに、上記内容物と関連した動画が生じることを特徴とする、包装用箱。
【請求項２】
上記収容本体（１０、３０）の取出口（２０、４０）は、外装体（６０）に覆われることで閉止され、
収容本体（１０、３０）を外装体（６０）に対してスライド移動させて取出口（２０、４０）を露出させると、内容物を取り出すことができる、請求項１記載の包装用箱。
【発明の詳細な説明】
【技術分野】
【０００１】
本発明は、複合画像で構成される下絵の上で、フィルムゲージをスライド移動させることで、絵が動いているかの如き視覚的効果を与える装飾要素を備えた包装用箱に関する。
【背景技術】
【０００２】
「下絵」と「フィルムゲージ」を利用して、パラパラ漫画とよく似た原理で、あたかも絵が動いているかのような視覚的効果を与える技術は、従来から知られている（例えば、特許文献１、２）。その原理を簡単に説明すると、次の通りである。
【０００３】
≪画素が２つの場合：図１、図２≫
図１は、「複合画像で構成される下絵」の作成原理を示している。ここでは、複合画像は、２つの画素から構成される。まず、画素１、２をそれぞれ等間隔“α”で間引いて、「残像」と「欠け」が繰り返す中間画素を作成する。次に、中間画像１の「欠け」部分に、中間画像２の「残像」部分が一致するようにして、両者を組み合わせて複合画像を作成する。
【０００４】
一方、図２に示したフィルムゲージは、透明の基材上に「黒塗りの細長い帯状領域」を等間隔で印刷したものであって、「帯状領域の幅」と「各帯状領域間の間隔」とが等しい（共に“α”）。
このフィルムゲージを複合画像上に重ね合わせて、両者を相対的にスライドさせると、図２に示したように、中間画素１の「残像」がフィルムゲージ上の各帯状領域間の透明領域にきたときに星形模様が視認される（Ａ）。
一方、中間画素２の「残像」がフィルムゲージ上の各帯状領域間の透明領域にきたときに丸形模様が視認される（Ｂ）。
【０００５】
以上の相対スライド動作を適度な速度で行うと、人間の目には、あたかも星形模様と丸形模様が動的に変化しているかのように視認される。
【０００６】
≪画素が３つの場合：図３、図４≫
以上に説明した画素が２つの場合は、（ｉ）画素を間引く際の「残像」と「欠け」の幅寸法を等しくし（“α”）、かつ、（ii）フィルムゲージ上の「帯状領域の幅」および「各帯状領域間の間隔」を共にこの“α”と等しくしている。
【０００７】
画素が３つの場合は、図３、図４に示したように、（ｉ）画素を間引く際に、「欠け」の幅寸法“β”を「残像」の幅寸法“γ”の２倍とし、（ii）フィルムゲージ上における「帯状領域の幅」を「欠け」の幅寸法“β”に等しく、「各帯状領域間の間隔」を「残像」の幅寸法“γ”に等しくする。
「欠け」の幅寸法“β”が「残像」の幅寸法“γ”の２倍であるため、中間画素１の「欠け」部分に他の２つの中間画素２、３の「残像」を収めることができ、したがって、３つの画素からなる複合画像を作成することができる。
【０００８】
そして、図４に示したように、中間画素１の「残像」がフィルムゲージ上の各帯状領域間の透明領域にきたときに星形模様が視認される（Ａ）。中間画素２の「残像」がフィルムゲージ上の各帯状領域間の透明領域にきたときに丸形模様が視認される（Ｂ）。中間画素３の「残像」がフィルムゲージ上の各帯状領域間の透明領域にきたときに菱形模様が視認される（Ｃ）。
【０００９】
同様の考え方で、画素が４つ、５つの場合にも、複合画像および対応するフィルムゲージを作成できる。
【００１０】
以上に説明した例では、ストライプ状のフィルムゲージを使用しているが、格子状のフィルムゲージと、これと対応する下絵とを利用して、同様の視覚的効果を与える構成も知られている。
ストライプ状のフィルムゲージの場合には、視覚的効果を得るために「下絵」と「フィルムゲージ」を相対移動させる方向は、ストライプに直交する１方向に限られる。これに対して、格子状のフィルムゲージの場合には、タテ、ヨコ、ナナメのいずれの方向に相対移動させた場合であっても、視覚的効果を得ることができる。
【００１１】
【特許文献１】特表２００７−５２６５００号
【特許文献２】実用新案登録第３０９５２６５号
【発明の開示】
【発明が解決しようとする課題】
【００１２】
本発明の第１の目的は、上記視覚的効果によって得られる動画を利用した包装用箱を提供し、これにより、販売促進効果を高めることである。
また、「フィルムゲージ」と「下絵」を重ね合わせて相対スライドさせることで動画を生じさせる場合、相対スライドする「フィルムゲージ」および「下絵」は、適度に密着していることが好ましい。両者の隙間が大きいと、視覚的効果として得られる動画もボヤケたものとなってしまう。
したがって、本発明の第２の目的は、包装用箱に設けた「フィルムゲージ」と「下絵」の適度な密着性を実現することである。
【課題を解決するための手段】
【００１３】
本発明の包装用箱は、複合画像で構成される下絵に対して、対応するフィルムゲージを相対的にスライド移動させることで、動画を生じさせる装飾要素を備える。当該包装用箱は、内容物を収容する収容本体と、当該収容本体を相対スライド可能に内側に保持する外装体とを備える。
上記下絵が収容本体の壁面に表示され、これと対向する外装体の壁面に形成した開口部にフィルムゲージが保持されている。そして、収容本体と外装体が相対スライドしたときに、上記内容物と関連した動画が生じる。
【００１４】
「下絵」は、例えば図１〜４で説明したような「残像」と「欠け」で構成される複数の画素から作成される複合画像である。また、下絵に「対応するフィルムゲージ」とは、複合画像の「残像」および「欠け」に対応した「透明領域」および「不透明領域」を含み、相対スライドによって動画を生じさせるフィルムゲージを意味する。
また、フィルムゲージは、ストライプ状および格子状のいずれであってもよく、対応する下絵（複合画像）と相対スライドすることで動画を生じさせる。
【発明の効果】
【００１５】
菓子等の内容物を収容する包装用箱において、「フィルムゲージ」および「下絵」による上述の視覚的効果で得られる動画を、「内容物と関連する」ものとすることで、宣伝効果あるいは販売促進効果を高めることができる。
【００１６】
「内容物と関連する」とは、内容物自体の内容と関連するものに限られず、当該商品を提供するメーカーと関連するもの等、広い意味で、何らかの関連があればよい。
【００１７】
また、本発明の包装用箱においては、外装体の内側に収容本体をスライド可能に保持しているので、外装体に設けた「フィルムゲージ」が収容本体の壁面に表示した「下絵」に対して適度に密着し、相対スライドにより得られる動画がクリアなものとなる。
【発明を実施するための最良の形態】
【００１８】
≪第１実施形態：図５〜図７≫
図５は、本発明の第１実施形態に係る包装用箱の分解斜視図である。この包装用箱は、内容物を収容する収容本体１０と、これを内側にスライド可能に保持する外装体６０とで構成されている。
収容本体１０は、代表的には１枚のブランクから組み立てることができ、全体が六面体形状の箱体である。収容本体１０の壁面１１には、内容物を振り出すための取出口２０が形成されるとともに、下絵２６が表示されている。
【００１９】
外装体６０も代表的には１枚のブランクから組み立てることができ、図示した例では、両端が開口する筒状体として構成されている。外装体６０の一方の開口端に沿って、離脱防止フラップ６５が設けられている。なお、外装体６０は、必ずしも両端が開口している必要はなく、一端のみが開口している構成であってもよい。
離脱防止フラップ６５は、収容本体１０が外装体６０の内側にスライド可能に保持されたときに、収容本体１０側の離脱防止フラップ１５と係合して、両者が不用意に離脱するのを防止する。
【００２０】
外装体６０の壁面６１に、フィルムゲージ７０が設けられている。具体的には、壁面６１に開口部を形成し、この開口部を塞ぐようにしてフィルムゲージ７０が内面側に貼り付けられている。
【００２１】
図６は、組み立てられた包装用箱と動画との関係を示している。外装体６０の内側で収容本体１０を相対スライドさせると、視覚的効果を利用した動画が現れる。図６では、３つの画素から構成される動画の一例を示しているが、具体的な図柄や画素の数は、任意に設定することができる。
収容される商品あるいは製造メーカと関連付けた動画を採用することで、宣伝効果あるいは販売促進効果を高めることができる。
【００２２】
図７は、取出口２０を露出させた状態を示している。すなわち、取出口２０は、外装体６０に覆われることで閉止されるが、収容本体１０を外装体６０に対してスライド移動させて取出口２０を露出させることによって、内容物を取り出すことができる。
このような構成を採用すると、内容物の取出し動作と連動して、動画が生じるので、喫食に際して視覚的な変化を提供することができる。このようにして、消費者の遊び心を満足させることで、購買意欲が高まり、販売促進効果が期待できる。
また、内容物の取出動作とは無関係に単に両者を相対スライドさせて動画を楽しむことも、勿論可能である。
【００２３】
≪格子状のフィルムゲージ≫
本発明においては、ストライプ状のフィルムゲージ７０に限らず、格子状のフィルムゲージ７０’を採用することも可能である（図５中の円内）。勿論、その場合には、下絵２６は、これに対応して動画を生じさせるものが採用される。
ストライプ状のフィルムゲージ７０の場合、一方向の相対スライドによって動画が生じるが、格子状のフィルムゲージ７０’の場合、タテ、ヨコ、ナナメのいずれの方向に相対スライドした場合でも動画が生じる。これは、箱の組み立て精度が高くなく、相対スライド方向が予定の一方向から逸れた場合でも動画に変化が生じるという点で有効である。
【００２４】
≪壁面上の下絵とフィルムゲージとの密着性を高めるための構成≫
下絵２６とフィルムゲージ７０を重ねて相対スライドさせることで動画を生じさせる場合、両者の隙間が大きいと、動画がボヤケて見えることがある。動画をクリアにするためには、下絵２６とフィルムゲージ７０を、適度に圧接させることが好ましい。
本発明では、相対スライドする２つの要素として、収容本体１０とその周囲に巻き付くように係合する外装体６０を採用し、収容本体１０の壁面１１に下絵２６を表示し、これと対向する外装体６０の壁面６１にフィルムゲージ７０を設けている。その結果、壁面１１上の下絵２６に対して、外装体６０側のフィルムゲージ７０が適度に密着し、相対スライドにより得られる動画がクリアなものとなる。
【００２５】
≪第２実施形態：図８、図９≫
図８は、第２実施形態に係る包装用箱を示している。第１実施形態と比べて、収容本体３０の構造が異なる。
【００２６】
第２実施形態においては、収容本体３０は、トレー状の底部３２と、その一端縁に対してヒンジ式に連接されてなる上部壁面３１で構成されている。下絵２６は、この壁面３１に表示されている。
上部壁面３１の自由端側には、折罫３１ａを介して回動可能に連接された取出フラップ３３が設けられている。また、取出フラップ３３の端縁には、消費者が内容物を取り出す際に指を掛けるための切欠３４が形成されている。
【００２７】
なお、図８中には現れないが、トレー状底部３２の裏面側には、第１実施形態の収容本体１０に設けた離脱防止フラップ１５（図５）と同様のフラップが設けられていて、両者の不用意な離脱を防止している。
【００２８】
図９は、組み立てられた包装用箱と動画との関係を示しており、取出口４０が露出した状態にある。収容本体３０を外装体６０から部分的に引き出すと、取出フラップ３３が露出する。消費者が切欠３４に指を掛けて取出フラップ３３を引き上げると、取出口４０が現れ、ここから内容物を取り出すことができる。
逆に、取出フラップ３３を下げて、収容本体３０を外装体６０内に戻すと、取出フラップ３３が外装体６０に覆われた封止状態となる。
【００２９】
以上のスライド動作に伴って、下絵２６とフィルムゲージ７０とが相対スライドして、動画が生じる。また、内容物の取出動作とは無関係に単に両者を相対スライドさせて動画を楽しむことも、勿論可能である。
【００３０】
≪変形例：不図示≫
本発明は、図示した具体的な形態に限定されるものではない。収容本体とそれを覆う外装体との相対スライドを利用するものである限り、収容本体や外装体の具体的構成は任意に変更することができる。
また、図示した例では、内容物の取出口２０、４０は、外装体６０のスライドと関連して外装体６０で封止されたり、外部に露出したりする構成を採用しているが、別途の開閉機構を設けて、収容本体と外装体の相対スライド位置とは無関係に適宜内容物を取り出せる構成としてもよい。
【図面の簡単な説明】
【００３１】
【図１】２つの画素から動画を生じさせる原理を示す説明図。
【図２】２つの画素から動画を生じさせる原理を示す説明図。
【図３】３つの画素から動画を生じさせる原理を示す説明図。
【図４】３つの画素から動画を生じさせる原理を示す説明図。
【図５】本発明の第１実施形態に係る包装用箱を示す分解斜視図。
【図６】図５の包装用箱の機能を説明する斜視図。
【図７】図６の包装用箱の取出口を露出させた状態を示す斜視図。
【図８】本発明の第２実施形態に係る包装用箱を示す分解斜視図。
【図９】図８の包装用箱の機能を説明する斜視図。
【符号の説明】
【００３２】
１０  収容本体
１１  壁面
１５  離脱防止フラップ
２０  取出口
２６  下絵（複合画像）
３０  収容本体
３１  壁面
３２  トレー状底部
３３  取出フラップ
３４  切欠
４０  取出口
６０  外装体
６１  壁面
６５  離脱防止フラップ
７０  フィルムゲージ
【図１】
2010013121.tif 000003
【図２】
2010013121.tif 000004
【図３】
2010013121.tif 000005
【図４】
2010013121.tif 000006
【図５】
2010013121.tif 000007
【図６】
2010013121.tif 000008
【図７】
2010013121.tif 000009
【図８】
2010013121.tif 000010
【図９】
2010013121.tif 000011